(57)【要約】【課題】ユーザが所望の被吊物を一見して確認することができる吊具を提供することにある。【解決手段】吊具は、可撓性を有し、Ｕ字状をなす複数の挟持部３１を備える吊具において、該複数の挟持部３１の夫々は、先端部分を水平方向に向けた状態で水平方向に並んでおり、前記複数の挟持部３１の先端部分は水平方向に開閉され、前記複数の挟持部３１は、蛇行するように折れ曲がって一体成形され、複数の挟持部３１の先端部分は、水平方向に向けて左右交互に配置され、前記複数の挟持部３１の先端部分は、左側に配置され、複数の先端部分３７１等から構成される第１先端部分群３７と、右側に配置され、複数の先端部分３８１等から構成される第２先端部分群３８とを備え、前記第１先端部分群３７と前記第２先端部分群３８とは略平行に配置されていることを特徴とする。【選択図】図１
2016202891.tif 000002
【特許請求の範囲】
【請求項１】
可撓性を有し、Ｕ字状をなす複数の挟持部を備える吊具において、
該複数の挟持部の夫々は、水平方向に並んでおり、
前記複数の挟持部の先端部分は水平方向に開閉することを特徴とする吊具。
【請求項２】
前記複数の挟持部の夫々は、先端部分を水平方向に向けた状態で水平方向に並んでいることを特徴とする請求項１に記載の吊具。
【請求項３】
前記複数の挟持部は、蛇行するように折れ曲がって一体成形されていることを特徴とする請求項１又は請求項２に記載の吊具。
【請求項４】
複数の挟持部の先端部分は、水平方向に向けて左右交互に配置されていることを特徴とする請求項１から請求項３のいずれか１つに記載の吊具。
【請求項５】
前記複数の挟持部の先端部分は、
左側に配置され、複数の先端部分から構成される第１先端部分群と、
右側に配置され、複数の先端部分から構成される第２先端部分群とを備え、
前記第１先端部分群と前記第２先端部分群とは略平行に配置されていることを特徴とする請求項１から請求項４のいずれか１つに記載の吊具。
【請求項６】
前記複数の挟持部の内の少なくとも１つに接合され、上側に突出した筒部と、
上部に位置し、被掛止部材に掛止するフック部を有し、上下方向に長い柱形をなす掛止部とを備え、
該掛止部の下部は、前記筒部に連結されており、
前記掛止部は、軸回りに回転可能であることを特徴とする請求項１から請求項５のいずれか１つに記載の吊具。
【請求項７】
前記複数の挟持部の夫々は、先端部分を垂直方向下側に向けた状態で水平方向に並んでおり、
各挟持部の先端部分に対向する端部に下面が接続された支持板を備えることを特徴とする請求項１に記載の吊具。
【請求項８】
前記支持板に接合され、上側に突出した筒部と、
上部に位置し、被掛止部材に掛止するフック部を有し、上下方向に長い柱形をなす掛止部とを備え、
該掛止部の下部は、前記筒部に連結されており、
前記掛止部は、軸回りに回転可能であることを特徴とする請求項７に記載の吊具。
【発明の詳細な説明】
【技術分野】
【０００１】
本発明はタイツ又はネクタイ等の被吊物を吊下げる吊具に関する。
【背景技術】
【０００２】
ある種の吊具は、Ｃ字状をなし、開口部を中央に向けて円状に隣接配置され、縦置きにされた複数のアーチ部と、円状に配置され、複数のアーチ部の隣り合う端部同士を架け渡した複数の吊下部と、複数のアーチ部の側面同士が接する接点の間に位置する隙間と、フック状をなし、最上部のアーチ部の頭頂部から上側に突出した掛止部とを備え、複数のアーチ部は、掛止部を物干し竿又は突っ張り棒等の杆状部材（被掛止部材）に掛け止め、隙間から被吊物を挿入し、挿入した被吊物を吊下部に引っ掛けることで吊下げる（例えば、特許文献１参照）。
【先行技術文献】
【特許文献】
【０００３】
【特許文献１】特開平１０−２７６８８７号公報
【発明の概要】
【発明が解決しようとする課題】
【０００４】
しかし、特許文献１に記載の吊具は、吊下部が円状に配置されていることで吊り下げた複数の被吊物が重なってしまうため、ユーザが所望の被吊物を一見して確認することが難しいという問題があった。
【０００５】
本発明は斯かる事情に鑑みてなされたものであり、その目的とするところは、ユーザが所望の被吊物を一見して確認することができる吊具を提供することにある。
【課題を解決するための手段】
【０００６】
吊具は、可撓性を有し、Ｕ字状をなす複数の挟持部を備える吊具において、該複数の挟持部の夫々は、水平方向に並んでおり、前記複数の挟持部の先端部分は水平方向に開閉することを特徴とする。
【発明の効果】
【０００７】
一つの側面では、ユーザが所望の被吊物を一見して確認することができる。
【図面の簡単な説明】
【０００８】
【図１】実施の形態１に係る吊具の一例を示す全体斜視図である。
【図２】実施の形態１に係る回動部の一例を示す拡大斜視図及び平面図である。
【図３】実施の形態１に係る吊下部の一例を示す平面図である。
【図４】被吊具を吊り下げた吊具の一例を示す説明図である。
【図５】実施の形態２に係る吊下部の一例を示す平面図である。
【図６】実施の形態３に係る吊具の一例を示す全体斜視図である。
【図７】実施の形態４に係る吊下部の一例を示す平面図である。
【図８】実施の形態５に係る吊具の一例を示す全体斜視図である。
【発明を実施するための形態】
【０００９】
実施の形態１
以下、本発明をその実施の形態を示す図面に基づいて詳述する。図１は実施の形態１に係る吊具の一例を示す全体斜視図である。以下の説明では図中の上下左右を使用する。
【００１０】
図１に示すように、吊具は、板状部材が水平方向に蛇行するように折れ曲がって一体成型され、一端部同士を対向配置した２つの吊下部３、３と、２つの吊下部３、３の一端部をその周面に接合し、上下方向に長い円筒状の回動部（筒部）２と、回動部２の上部に連結する掛止部１とを備える。
【００１１】
掛止部１は、上部にフック部１１を有し、上下方向に長い円柱形をなしている。回動部２は上下方向に貫通する軸孔２１を備える。
【００１２】
吊下部３は水平方向に並ぶ複数の挟持部３１を備える。挟持部３１は平面視Ｕ字状をなし、可撓性を有する素材で構成されている。複数の挟持部３１の先端部分３７１は、水平方向に向けて左右交互に配置されている。具体的には複数の挟持部３１の先端部分は、左側に配置され、複数の先端部分３７１、３７２、３７３、３７４……から構成される第１先端部分群３７と、右側に配置され、複数の先端部分３８１、３８２、３８３、３８４……から構成される第２先端部分群３８とを備え、第１先端部分群３７と第２先端部分群３８とは略平行に配置されている。挟持部３１は円弧型に湾曲する湾曲部３４と、該湾曲部３４の両端部から内側に向けて曲げられ、２つの先端部分３７１、３７２の内側面同士を当接させた２つの係止部３２、３２とを備える。吊下部３の一端部側に設けられた複数の挟持部の一端部は、回動部２の周面に周面に対して垂直に接合されている。すなわち複数の挟持部の内の少なくとも１つ以上が回動部２に接合されている。挟持部３１の先端部分３７１、３８１……は水平方向外向きに撓ませることにより開くことが可能であり、撓みをなくすことで閉じることが可能になっている。すなわち挟持部３１の先端部分３７１、３８１……は横（水平方向）を向いており、水平方向に開閉可能になっている。
【００１３】
図２は実施の形態１に係る回動部２の一例を示す拡大斜視図及び平面図である。図２Ａは実施の形態１に係る回動部２の一例を示す拡大斜視図である。図２Ｂは実施の形態１に係る回動部２の一例を示す平面図である。軸孔２１の水平方向の断面形状は円形をなす。回動部２は軸孔２１に掛止部１の一端部を嵌め合わせ、軸孔２１に設けられた枢支部（図示せず）により掛止部１の一端部を枢支することにより上下方向の軸回りに回動が自在になっている。回動部２の周面には、吊下部３、３の後述する一端部３０、３０が周面に対して垂直に接合されている。なお、掛止部１の形状はこれに限られるものではない。例えば、掛止部１は四角柱形でもよい。この場合、軸孔２１及び枢支部は掛止部１に対応した形状を有し、掛止部１を回転可能に支持する。
【００１４】
図３は実施の形態１に係る吊下部３の一例を示す平面図である。吊具に被吊物を吊り下げる方法は以下の通りである。吊具は、他端部３３を摘み、他端部３３を水平方向外向きに撓ませることにより他端部３３及び係止部３２の間に余裕を作らせ、他端部３３を撓ませたまま、タイツ又はネクタイ等の被吊物を矢印の方向から他端部３３及び係止部３２の間に挿入させ、他端部３３の撓みをなくすことにより被吊物を他端部３３及び係止部３２により係止させ、吊下部３に被吊物を吊り下げることができる。
【００１５】
また、吊具は、隣り合う２つの係止部３２を摘まみ、摘まんだ２つの係止部３２を水平方向外向きに撓ませることによって２つの係止部３２の間に余裕を作らせ、２つの係止部３２を撓ませたまま、被吊物を矢印の方向から２つの係止部３２の間に挿入させ、係止部３２の撓みをなくすことによって被吊物を２つの係止部３２により係止させ、吊下部３に被吊物を吊り下げることができる。
【００１６】
なお、本実施形態では他端部３３又は２つの係止部３２を水平方向外向きに撓ませることにより他端部３３及び係止部３２又は２つの係止部３２の間に被吊物を挿入させたが、係止部３２又は他端部３３を撓ませず、直接他端部３３及び係止部３２又は２つの係止部３２の間に被吊物を挿入させてもよい。
【００１７】
図４は被吊具を吊り下げた吊具の一例を示す説明図である。以上のように被吊物を吊り下げた吊具は、ベランダに設けられた物干し竿又はクローゼットに設けられた突っ張り棒等の杆状部材（被掛止部材）にフック部１１を掛け止めることができる。
【００１８】
本実施の形態における吊具は、複数の被吊物を水平方向に並べて吊り下げることができる。このことによりユーザが水平方向に対して直行する方向から見た場合、ユーザが所望の被吊物を一見して確認することができる。
【００１９】
本実施の形態における吊具は、板状部材が水平方向に蛇行するように折れ曲がって一体成型された吊下部３、３を備えることにより、従来の吊具より狭い空間で多くの被吊物を吊り下げることができる。
【００２０】
本実施の形態における吊具は上下方向の軸回りを中心に回転可能であるため、クローゼットの寸法又は形状に応じて吊具の向きを変更することができる。
【００２１】
実施の形態２
図５は実施の形態２に係る吊下部３の一例を示す平面図である。以下、特に説明する構成、作用以外の構成及び作用は実施の形態１と同等であり、簡潔のため記載を省略する。他端部３３は湾曲部３４側に対して反対側の方向に反っている。このことによりユーザは他端部３３を容易に摘まむことができるため、他端部３３を水平方向外向きに容易に撓ませることができる。
【００２２】
実施の形態３
図６は実施の形態３に係る吊具の一例を示す全体斜視図である。以下、特に説明する構成、作用以外の構成及び作用は実施の形態１と同等であり、簡潔のため記載を省略する。フック部１１の基部には、フック部１１の開放側を開閉する開閉部材１２と、開閉部材１２に連結され、開閉部材１２から斜め下方へ延設されたレバー１３とが枢支されている。レバー１３と開閉部材１２との連結部にはねじりばね（図示せず）が配されている。開閉部材１２はねじりばねにて閉方向へ付勢されており、レバー１３をねじりばねの弾性力に抗して、上側に移動させることによりフック部１１を解放させることができる。
【００２３】
吊具を杆状部材に掛止する方法は以下の通りである。吊具は、杆状部材に開閉部材１２を押し当てたとき、開閉部材１２が開方向へ回動することによりフック部１１が開放され、杆状部材がフック部１１の内部に挿入され、開閉部材１２がねじりばねにより閉方向へ回動することによりフック部１１が閉鎖され、杆状部材にフック部１１を掛止させる。
【００２４】
吊具を杆状部材から取り外す方法は以下の通りである。吊具は、レバー１３の下端部を摘み、レバー１３を上側に持ち上げ、開閉部材１２を下側に回動させることにより、フック部１１が開放され、フック部１１を杆状部材から取り外すことができる。
【００２５】
本実施の形態における吊具は、吊具を杆状部材に掛止めた場合、開閉部材１２によりフック部１１が閉鎖されるため、杆状部材からフック部１１の落下を防止することができる。
【００２６】
実施の形態４
図７は実施の形態４に係る吊下部３の一例を示す平面図である。以下、特に説明する構成、作用以外の構成及び作用は実施の形態１と同等であり、簡潔のため記載を省略する。吊下部３は複数の挟持部材（挟持部）４を水平方向に並べて接合することで構成される。挟持部材４の水平方向の断面形状はＵ字状をなし、可撓性を有する素材で構成されている。一の挟持部材４は一側面部４１と、該一側面部４１に対向する他側面部４２と、一側面部４１及び他側面部４２の先端部分の間に設けられた開口４３と、開口４３の反対側において一側面部４１及び４２を連結し、円弧状に湾曲した湾曲部４４とを備える。隣接する２つの挟持部材４は、一の挟持部材４における一側面部４１と他の挟持部材４における他側面部４２とが接着剤、超音波処理又は熱処理により接合されている。なお、一の挟持部材４における一側面部４１と他の挟持部材４における他側面部４２とは、一体成型により接合されてもよい。
【００２７】
吊具は一側面部４１を摘み、一側面部４１を水平方向外向きに撓ませることによって挟持部材４の先端部分に余裕を作らせ、一側面部４１を撓ませたまま、被吊物を矢印の方向から開口４３に挿入させ、一側面部４１の撓みを無くすことによって被吊物を先端部分に係止させ、挟持部材４に被吊物を吊り下げることができる。なお、挟持部材４は先端部分を当接させることで開口４３をなくしてもよい。
【００２８】
本実施の形態における吊具は、複数の挟持部材４を水平方向に並べて接合することで構成されるため、接合する挟持部材４の数を調整することで吊具のサイズを容易に調整することができる。
【００２９】
実施の形態５
図８は実施の形態５に係る吊具の一例を示す全体斜視図である。以下、実施の形態１と同様な構成について詳細な記載を省略する。吊具は、上面及び下面を有する支持板５９と、支持板５９の上面に接合した回動部２と、板状部材が垂直方向に蛇行するように折れ曲がり、支持板５９の下面に接続するように一体成型された吊下部５とを備える。
【００３０】
吊下部５は水平方向に並び、上下方向に平行な面を切断面とした断面形状がＵ字状をなす複数の挟持部５１と、支持板５９の左右両端部にそれぞれ設けられた一端部５３１及び他端部５３２とを備える。一端部５３１及び他端部５３２は板状をなし、支持板５９から下方に突出している。狭持部５１は可撓性を有する。挟持部５１は、垂直方向下側に設けられ、上下方向に平行な面を切断面とした断面形状がＵ字状をなす先端部分５７と、先端部分５７の上側の両端に接続され、内側に向けて傾斜した傾斜部５８１、５８１と、傾斜部５８１、５８１の上端に接続され、側面同士を当接させた当接部５８２、５８２と、当接部５８２、５８２の上端に接続され、支持板５９の下面に接続された端部５８３、５８３とを備える。端部５８３、５８３は先端部分５７に対向して設けられている。
【００３１】
先端部分５７は垂直方向下側に向けて円弧型に湾曲する湾曲部５４と、該湾曲部５４の上側の両端にそれぞれ接続され、垂直方向に延びる二つの係止部５２、５２とを備える。隣り合う二つの狭持部５１、５１において、係止部５２、５２同士は近接している。
【００３２】
狭持部５１は可撓性を有するので、隣り合う二つの狭持部５１、５１の先端部分５７、５７を水平方向外向きに撓ませることができる。先端部分５７、５７を水平方向外向きに撓ませることにより、近接した係止部５２、５２同士を離間させて、開くことが可能である。一方、撓みをなくすことで係止部５２、５２を閉じることが可能である。
【００３３】
支持板５９は水平方向に長い矩形状の板である。支持板５９の水平方向の中央部には回動部２が接合されている。一端部５３１は垂直方向に長い矩形状の板であり、隣り合う狭持部５１に下側側面を当接させている。
【００３４】
吊具に被吊物を吊り下げる方法は以下の通りである。吊具は、一端部５３１を摘み、一端部５３１を水平方向外向きに撓ませることにより一端部５３１及び係止部５２の間に余裕を作らせ、一端部５３１を撓ませたまま、被吊物を矢印の方向から一端部５３１及び係止部５２の間に挿入させ、一端部５３１の撓みをなくすことにより被吊物を一端部５３１及び係止部５２により係止させ、吊下部５に被吊物を吊り下げることができる。なお、他端部５３２は一端部５３１と同様の構成及び動作であるため、記載を省略する。
【００３５】
また、吊具は、隣り合う二つの狭持部５１、５１において、近接した２つの係止部５２を摘まみ、摘まんだ２つの係止部５２を水平方向外向きに撓ませることによって２つの係止部５２の間に余裕を作らせ、２つの係止部５２を撓ませたまま、被吊物を矢印の方向から２つの係止部５２の間に挿入させ、係止部５２の撓みをなくすことによって被吊物を２つの係止部５２により係止させ、吊下部５に被吊物を吊り下げることができる。
【００３６】
支持板５９が挟持部５１を支持するため、本実施の形態における吊具は被吊物の重みによる吊下部５の垂直方向の歪みを軽減することができる。
【００３７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００３８】
１  掛止部
２  回動部（筒部）
３  吊下部
４  挟持部材（挟持部）
１１  フック部
３１  狭持部
５１  挟持部
５９  支持板
【図１】
2016202891.tif 000003
【図２】
2016202891.tif 000004
【図３】
2016202891.tif 000005
【図４】
2016202891.tif 000006
【図５】
2016202891.tif 000007
【図６】
2016202891.tif 000008
【図７】
2016202891.tif 000009
【図８】
2016202891.tif 000010